(57)【要約】【解決しようとする課題】本発明は、介助用の車椅子、歩行器、シルバーカー等の走行車に、キャリパーブレーキ、パーキングブレーキの両方のブレーキ操作を手元で行うことが出来るところの操作が簡単なブレーキ装置を提供する。【解決するための手段】走行車のグリップに取着するグリップフレーム１１とグリッププレート１２とからなる本体と、ワイヤを引くためのグリップレバー１３と、該グリップレバー１３を前記グリッププレート１２に連結する連結プレート１７と、からなるブレーキのグリップ装置１００であって、前記グリッププレート１２の中程にグリップレバー１３の先端部が嵌合する凹部１５を設けたことを特徴とするブレーキのグリップ装置１００とした。【選択図】図１
2006263119.tif 000002
【特許請求の範囲】
【請求項１】
走行車のグリップに取着するグリップフレームとグリッププレートとからなる本体と、ワイヤを引くためのグリップレバーと、該グリップレバーを前記グリッププレートに連結する連結プレートと、からなるブレーキのグリップ装置であって、前記グリッププレートの中程にグリップレバーの先端部が嵌合する凹部を設けたことを特徴とするブレーキのグリップ装置。
【請求項２】
グリップレバーをグリップフレーム方向に引き上げるとキャリパーブレーキとなることを特徴とする請求項１に記載のブレーキのグリップ装置
【請求項３】
グリップレバーを引き下げてグリッププレートの中程に設けた凹部にグリップレバーの先端部を嵌合させるとパーキングブレーキとなることを特徴とする請求項１又は請求項２に記載のブレーキのグリップ装置。
【発明の詳細な説明】
【技術分野】
【０００１】
車椅子、歩行器、シルバーカー等の走行車のハンドルに取着して、車輪に取着されたブレーキとワイヤで接続してブレーキを操作するためのブレーキのグリップ装置に関わる。
【背景技術】
【０００２】
介助用の車椅子には、坂道での加速を抑制するためにハンドル部にキャリパーブレーキが着設されている。さらに、車椅子を駐車しておくためのパーキングブレーキが別途着設されている。このように車椅子等の場合、キャリパーブレーキはハンドル、または、その近くに設けられている。しかし、パーキングブレーキはハンドルから離れて車輪の近くに設けられている場合が多く、車椅子等を止めて駐車する場合は、介助者が車椅子の前方に回ってパーキングブレーキを掛けたりしなければならなかった。
【０００３】
車椅子等のブレーキ装置についての工夫は、安全面、操作面について種々の改良が加えられている。例えば、特許文献１は、車椅子フレームの前部側方に取り付けられる基板に操作レバーを枢着するとともに該操作レバーの揺動基部に逆Ｖ字溝を形成したカム板を設け、また、車輪圧接部を先端に設けた揺動自在なブレーキアームの基端を前記基板に枢着し、外部ブレーキアームの中間部に一端が枢着され、基板に他端が枢着されるトグルリンクの中間にピンに軸支されるカムローラを前記カム板の逆Ｖ字溝に嵌合させ、さらに、トグルリングが死点を若干越えた位置でリンクと当接してトグルリンクの作動を停止させるストッパをリンクに設け、また、一端が基板に取り付けられる復帰ばねの他端を前記ブレーキアームに係止させた車椅子用制動装置を開示している。このブレーキ装置は操作レバーを前方に引いても、前方に押しだしても車輪に制動を掛けることができ、さらに強く押すことによって、停止と駐車が可能となる。
【０００４】
特許文献２のブレーキ装置は、ハンドル部の一部に、ブレーキレバーを配設し、ハンドル部の握部に近接して配設し、この握部の固定基板に回動自在に軸支したブレーキレバーと車輪部の前車輪または後車輪に設けたブレーキとの間を連結するブレーキワイヤの移動を所定位置で固定するロック機構を配置し、ブレーキレバーを回動してブレーキワイヤを移動させブレーキを作動させたとき、このブレーキレバーの回動位置を前記ロック機構によって固定する構成が開示されている。
【０００５】
特許文献３では、ドラムブレーキに第１レバーと第２レバーを設け、第１レバーを車椅子等のハンドル部のブレーキレバーとワイヤで接続して、介助者が後部から車椅子を操作する時のブレーキとなる。また、第２レバーを車椅子等の車輪の近くのレバーと接続することにより、座乗者自ら車椅子を操作する時のブレーキとなり、さらに、パーキングブレーキともなる。
【０００６】
一方、介助用の車椅子、歩行器、シルバーカー等のブレーキ装置は、キャリパーブレーキ、パーキングブレーキのブレーキ操作は手元で操作できる事が望ましい。歩行器やシルバーカー等はパーキングブレーキを備えていないものが多く、坂道などで放置する場合は自然に動き出す危険性もある。また、シルバーカー等のように座席の付いた歩行車は一休みする場合に、手近なところにパーキングブレーキがあると非常に便利である。このためにパーキングブレーキを別途着設する場合は、余分の費用もかかり、殆ど着設されていないのが、現状であり、安価でキャリパーブレーキと同じ位置で使用できるパーキングブレーキの出現が望まれている。
【特許文献１】特開平１０−２１９号公報
【特許文献２】実用新案登録第３０６１１８０号公報
【特許文献３】特開２００４−１３６０８４号公報
【発明の開示】
【発明が解決しようとする課題】
【０００７】
本発明は、介助用の車椅子、歩行器、シルバーカー等の走行車に、キャリパーブレーキ、パーキングブレーキの両方のブレーキ操作を手元で行うことが出来るところの操作が簡単なブレーキ装置を提供するものである。
【課題を解決するための手段】
【０００８】
上記課題を解決するために鋭意研究を重ねた結果、介助用の車椅子、歩行器、シルバーカー等の走行車のハンドルグリップに着設して、キャリパーブレーキとパーキングブレーキの両方の操作が簡単にできるブレーキのグリップ装置の作成に成功した。
【０００９】
本発明の第１の特徴は、走行車のグリップに取着するグリップフレームとグリッププレートとからなる本体と、ワイヤを引くためのグリップレバーと、該グリップレバーを前記グリッププレートに連結する連結プレートと、からなるブレーキのグリップ装置であって、前記グリッププレートの中程にグリップレバーの先端部が嵌合する凹部を設けたことを特徴とするブレーキのグリップ装置である。本発明において走行車とは、介助用の車椅子、歩行器、シルバーカー等をいい、このような走行車のグリップ部分に簡単に取り付けることができるブレーキのグリップ装置であり、前記グリッププレートの中程にグリップレバーの先端部が嵌合する凹部を設けたことを特徴とする。
【００１０】
本発明の第２の特徴は、グリップレバーをグリップフレーム方向に引き上げるとキャリパーブレーキとなることを特徴とする請求項１に記載のブレーキのグリップ装置である。通常のブレーキ操作と同様にブレーキレバーを引き上げるとキャリパーブレーキとなり、走行車の移動中に車輪にブレーキを掛けて速度を調節することができる。
【００１１】
本発明の第３の特徴は、グリップレバーを引き下げてグリッププレートの中程に設けた凹部にグリップレバーの先端部を嵌合させるとパーキングブレーキとなることを特徴とする請求項１又は請求項２に記載のブレーキのグリップ装置である。グリップレバーを引き下げるとグリップレバーの先端部がグリッププレートの中程に設けた凹部に嵌合してグリップレバーがブレーキワイヤを引いた状態で固定され、パーキングブレーキとして作用する。グリップレバーを下げるだけの簡単な操作で走行車にパーキングブレーキを掛けることができる。
【発明の効果】
【００１２】
キャリパーブレーキとパーキングブレーキのブレーキ操作を同一カ所で行えるようにすることによって、パーキングブレーキを掛けるために走行車の周りを動き廻らなくても、手元でブレーキ操作を行える効果がある。また、ブレーキレバーを上下に引く簡単な操作でキャリパーブレーキとパーキングブレーキのそれぞれの操作ができる。さらに、手元でブレーキ操作ができるので、パーキングブレーキのかけ忘れをなくし、放置した走行車が自然に動き出す危険性もなくなる。
【発明を実施するための最良の形態】
【００１３】
本発明のブレーキのグリップ装置について、以下にその実施の形態を図面を用いて詳細に説明するが、本発明は以下の実施例に限定されるものではない。
【００１４】
図１はブレーキのグリップ装置１００のグリップフレーム１１、及びグリッププレート１２の部分を半割した斜視図である。本発明のブレーキのグリップ装置１００は、グリップフレーム１１とグリッププレート１２よりなる本体と、ブレーキ操作を行うグリップレバー１３とグリッププレート１２にグリップレバー１３を取着する連結プレート１７よりなっている。連結プレート１７にはワイヤ１９を固定するワイヤ固定部１８（図６−２参照）があり、この連結プレート１７に接続したワイヤ１９をグリッププレートのワイヤ取り出し口２２からワイヤを取り出してワイヤ１９とブレーキ（図示せず）を接続する。グリップレバー１３の操作によって連結プレート１７が動き、連結プレート１７に接続されたワイヤ１９がブレーキを作動させる。キャリパーブレーキとして使用する場合は、図１に示すように、グリップレバー１３をグリップの方向（矢印方向）に引けば、連結プレート１７のネジ（１）２０を支点として、連結プレート１７がグリップ側に引き寄せられて、連結プレート１７に接続されたワイヤ１９が引っ張られてブレーキが作動する。
【００１５】
図２は、図１と同様にブレーキのグリップ装置１００のグリップフレーム１１、及びグリッププレート１２の部分を半割した斜視図である。グリップレバー１３をグリップフレーム１１と逆の方向方（矢印方向）に引くと、グリップレバー１３はネジ（２）２１を支点として下に引き降ろされて、連結プレート１７はネジ（１）２０を支点として、連結プレート１７がグリップフレーム１１側に引き上げられて、連結プレート１７に接続されたワイヤ１９が引っ張られてパーキングブレーキとして作動する。
【００１６】
上記のように、ブレーキのグリップ装置１００をパーキングブレーキとして使用する場合は、グリップレバー１３をネジ（２）２１を支点として引き下げることができる。この場合、図３に示すようにグリップレバーの先端部１４がグリッププレート１２の嵌合する凹部１５（図４−２参照）に嵌合してグリップレバー１３がグリッププレート１７に係止される。グリップレバー１３がグリッププレート１７に係止された状態ではブレーキワイヤ１９が引かれたままの状態となり、ブレーキのグリップ装置１００はパーキングブレーキとして働いている。パーキングブレーキを解除してキャリパーブレーキとして使用する場合は、グリップレバー１３を引き上げれば、ブレーキレバーの先端部１４が嵌合する凹部１５から簡単に離脱してキャリパーブレーキとして使用できるようになる。
【００１７】
図４はグリップフレーム１１とグリッププレート１２よりなるブレーキのグリップ装置の本体１０の構造を示す。図４−１はグリップフレーム１１とグリッププレート１２の構造を下から示している。図４−２に示すようにブレーキのグリップ装置の本体１０はグリップフレーム１１とグリッププレート１２よりなっている。グリッププレート１２は図４−２に示すように、連結プレート１７を取着するネジ穴２０ａと連結プレートに連結されたワイヤ２４の取り出し口、嵌合する凹部１５が穿設されている。
【００１８】
走行車への取り付け方法は特に限定されるものではなく、走行車の種類、走行車の使用目的によって取り付け方法、取付位置は適宜変更することができる。例えば、グリップフレーム１１を走行車のハンドルフレームに挿入する方法、または、グリッププレート１２の下に走行車のハンドルに取り付けるための固定部２３を設け、この固定部２３によって、走行車のハンドルに取り付ける方法、あるいは図５に示すように、グリッププレート１２の上にグリップフレーム１１を走行車のハンドルの手前に取り付けて、ブレーキのグリップ装置のグリップレバー１３の部分が走行車のハンドルの下に来るようにして使用する方法などが例示できる。
【００１９】
図６は連結プレート１７の構造で、連結プレート１７は図６−１に示すように、連結プレート１７の側面にはワイヤ固定部１８とワイヤを取り出すための側溝２４が開いた箱状になっている。連結プレート１７の側面は図６−２に示すように、ネジ穴（１）２０ａとネジ穴（２）２１ａが穿設されており、ネジ穴（１）２０ａはグリッププレート１２に回動自在に軸着し、ネジ穴（２）２１ａはグリップレバー１３を回動自在に軸着するためのネジ穴である。さらに、連結プレート１７の内側にはワイヤ１９を通して固定するためのワイヤ固定部１８が設けられている。
【００２０】
図７は、グリップレバー１３の斜視図（図７−１）と側面図（図７−２）を示す。グリップレバー１３は引き上げる場合と引き下ろす場合がある。グリップレバー１３はキャリパーブレーキの場合は引き上げ、パーキングブレーキの場合は引き下ろすので、図７−１に示すように、グリップレバー１３のグリップ部分は指を引っかけて簡単に操作できるように三角形状１３ａの穴を設けている。また、グリップレバー１３の先端部には連結プレート１７を挿入する間隙を設け、ネジで回動可能に軸着する。図７−２はグリップレバーの上面図を示している。
【図面の簡単な説明】
【００２１】
【図１】ブレーキのグリップ装置をキャリパーブレーキとして使用する場合の部分斜視図である。
【図２】ブレーキのグリップ装置をパーキングブレーキとして使用する場合の部分斜視図である。
【図３】パーキングブレーキのロック状態を示すブレーキのグリップ装置の部分斜視図である。
【図４】ハンドルフレームの側面図である。
【図５】ハンドルフレームの別態様を示す部分斜視図である。
【図６】連結プレートの側面図である。
【図７】グリップレバーの斜視図である。
【符号の説明】
【００２２】
１００：ブレーキのグリップ装置
１０：ブレーキのグリップ装置の本体
１１：グリップフレーム
１２：グリッププレート
１３：グリップレバー
１４：グリップレバーの先端部
１５：嵌合する凹部
１７：連結プレート
１８：ワイヤ固定部
１９：ワイヤ
２０：ネジ（１）
２１：ネジ（２）
２２：ワイヤの取り出し口
２３：ハンドルに取り付ける固定部
２４：ワイヤを取り出すための側溝
２５：連結プレートを挿入する間隙
【図１】
2006263119.tif 000003
【図２】
2006263119.tif 000004
【図３】
2006263119.tif 000005
【図４】
2006263119.tif 000006
【図５】
2006263119.tif 000007
【図６】
2006263119.tif 000008
【図７】
2006263119.tif 000009